(57)【特許請求の範囲】
【請求項１】
ＩＳＤＮの１本の〔２３Ｂ＋Ｄ〕の加入者線（２1 ）と〔２４Ｂ〕の加入者線（２2 〜２9 ）とで一組をなす複数本の加入者線と該加入者線の本数に対応した複数本の高速ディジタル専用線（１１1 〜１１9 ）との間をそれぞれ接続するための回線接続方法において、
前記〔２３Ｂ＋Ｄ〕の加入者線から入力される信号に含まれる所定速度のＤチャネルデータおよび前記各加入者線から入力される信号に含まれるフレームビットを抽出する段階と、
前記抽出したＤチャネルデータを蓄積する段階と、
前記蓄積したＤチャネルデータを前記所定速度の７／８の速度で読み出すとともに、前記抽出した各加入者線のフレームビットに基づいて少なくとも前記各加入者線のｍビット情報を含むように多重化した多重化フレームビットを前記所定速度の１／８の速度で生成する段階と、
前記読み出したＤチャネルデータと前記生成した多重化フレームビットとを多重化する段階と、
前記多重化した前記所定速度の多重化データを前記〔２３Ｂ＋Ｄ〕の加入者線に対応する高速ディジタル専用線の特定のタイムスロットに挿入する段階と、
前記〔２３Ｂ＋Ｄ〕の加入者線に対応する高速ディジタル専用線から入力される信号の前記特定のタイムスロットに前記所定速度で挿入されている多重化データを抽出する段階と、
前記抽出した多重化データを７ビットのＤチャネルデータと１ビットのフレームビットに分離する段階と、
前記分離したＤチャネルデータを蓄積する段階と、
前記分離したフレームビットを前記各加入者線毎に振り分ける段階と、
前記蓄積したＤチャネルデータを前記所定速度で読み出す段階と、
前記振り分けられたフレームビットから前記各加入者線に出力するためのフレームビットを前記所定速度の１／８の速度でそれぞれ生成する段階と、
前記所定速度で読み出されたＤチャネルデータを前記〔２３Ｂ＋Ｄ〕の加入者線へ出力するとともに、前記所定速度の１／８の速度で生成されたフレームビットを各加入者線へ出力する段階とを含むことを特徴とする回線接続方法。
【請求項２】
ＩＳＤＮの１本の〔２３Ｂ＋Ｄ〕の加入者線（２1 ）と〔２４Ｂ〕の加入者線（２2 〜２9 ）とで一組をなす複数本の加入者線と該加入者線の本数に対応した複数本の高速ディジタル専用線（１１1 〜１１9 ）との間をそれぞれ接続するための回線接続装置において、
前記〔２３Ｂ＋Ｄ〕の加入者線から入力される信号を受け、該信号から所定速度のＤチャネルデータを抽出するＤチャネルデータ抽出手段（２２）と、
前記各加入者線から入力される信号をそれぞれ受け、該信号からフレームビットをそれぞれ抽出する複数のフレームビット抽出手段（２２、２５）と、
第１のバッファ（３２）と、
前記Ｄチャネルデータ抽出手段によって抽出されたＤチャネルデータを前記第１のバッファに蓄積する第１のデータ書込手段（３１）と、
前記第１のバッファに蓄積されたＤチャネルデータを前記所定速度の７／８の速度で読み出す第１のデータ読出手段（３３）と、
前記複数のフレームビット抽出手段によって抽出された前記各加入者線のフレームビットに基づいて少なくとも前記各加入者線のｍビット情報を含むように多重化された多重化フレームビットを前記所定速度の１／８の速度で生成するフレームビット多重生成手段（３５）と、
前記第１のデータ読出手段から出力されるデータと前記フレームビット多重生成手段によって生成される多重化フレームビットとを前記所定速度のデータに多重化する多重化手段（３６）と、
前記多重化手段によって多重化された多重化データを、前記〔２３Ｂ＋Ｄ〕の加入者線に対応する高速ディジタル専用線の特定のタイムスロットに挿入して該高速ディジタル専用線へ送出する多重化データ送出手段（２３）と、
前記〔２３Ｂ＋Ｄ〕の加入者線に対応する高速ディジタル専用線からの信号を受け、該信号から前記特定のタイムスロットに前記所定速度で挿入されている多重化データを抽出する多重化データ抽出手段（２３）と、
前記多重化データ抽出手段によって抽出された多重化データを、７ビットのＤチャネルデータと１ビットのフレームビットに分離する分離手段（３８）と、
第２のバッファ（４０）と、
前記分離手段によって分離された前記所定速度の７／８の速度のＤチャネルデータを前記第２のバッファに蓄積する第２のデータ書込手段（３９）と、
前記第２のバッファに蓄積されたＤチャネルデータを前記所定速度で読み出す第２のデータ読出手段（４１）と、
前記第２のデータ読出手段から出力されるＤチャネルデータを前記〔２３Ｂ＋Ｄ〕の加入者線へ送出するＤチャネルデータ送出手段（２２）と、
前記分離手段によって分離されたフレームビットを前記各加入者線毎に振り分けるフレームビット振り分け手段（４３）と、
前記フレームビット振り分け手段によって振り分けられたフレームビットをそれぞれ受けて、前記各加入者線に出力するためのフレームビットを前記所定速度の１／８の速度でそれぞれ生成する複数のフレームビット生成手段（２８、４４）と、
前記複数のフレームビット生成手段によってそれぞれ生成されたフレームビットを、前記各加入者線へそれぞれ送出する複数のフレームビット送出手段（２２、２５）とを備えたことを特徴とする回線接続装置。
【請求項３】
前記第１のデータ書込手段は、前記Ｄチャネルデータ抽出手段によって抽出されたＤチャネルデータからアイドルフラグを除去して前記第１のバッファに書き込むように構成され、
前記第１のデータ読出手段は、前記第１のバッファに読み出すデータがないときには該データの代わりにアイドルフラグを出力するように構成され、
前記第２のデータ書込手段は、前記分離手段によって分離されたＤチャネルデータからアイドルフラグを除去して前記第２のバッファに書き込むように構成され、
前記第２の読出手段は、前記第２のバッファに読み出すデータがないときには該データの代わりにアイドルフラグを出力するように構成されていることを特徴とする請求項２記載の回線接続装置。
【請求項４】
前記フレームビット多重生成手段は、
前記各加入者線のｍビット情報を、その未使用ビットを除去することにより圧縮して多重化するように構成されていることを特徴とする請求項２記載の回線接続装置。
【発明の詳細な説明】
【０００１】
【発明の属する技術分野】
本発明は、〔２３Ｂ＋Ｄ〕と〔２４Ｂ〕を含む複数本の一次群インタフェースのＩＳＤＮ加入者線に高速ディジタル専用線をそれぞれ接続するための技術に関する。
【０００２】
【従来の技術】
ＩＳＤＮ一次群速度で代表される一次群インタフェース〔２３Ｂ＋Ｄ〕の加入者線は、情報チャネル（Ｂチャネル）を１ケーブル当り２３チャネル有していて、一契約者が多数の端末機に交換接続できるため、ＰＢＸを設置する場合に有効である。
【０００３】
また、２３チャネル以上のＰＢＸを設置する際には、ＩＳＤＮの加入者線を複数本引き込むことで対応する必要があるが、このように複数本の加入者線を同一場所に引き込むような場合、そのうちの１本を〔２３Ｂ＋Ｄ〕の加入者線をとし、他を２４のＢチャネルをもつ〔２４Ｂ〕の加入者線とし、〔２３Ｂ＋Ｄ〕の加入者線の制御チャネル（Ｄチャネル）によって〔２４Ｂ〕の加入者線の呼制御を行うサービスも実現されている。
【０００４】
ところが、ＩＳＤＮ一次群速度のＩＳＤＮの加入者線が布設されていない地域では、このようなサービスを受けることができない。
【０００５】
これを解決するために、金属線からなる高速ディジタル専用回線によって、ＩＳＤＮ一次群速度の複数本の加入者線を延長することが考えられる。
【０００６】
しかし、一次群インタフェースの加入者線と高速ディジタル専用線との間には、伝送速度と１フレーム当りのビット数に差がある。
【０００７】
即ち、ＩＳＤＮ一次群速度回線では、図１５の（ａ）に示すように、８ビット単位の２３のＢチャネルＢ１〜Ｂ２３と１つのＤチャネルまたは２４のＢチャネルＢ１〜Ｂ２４の先頭に、マルチフレーム同期パターン、ＣＭＢチェックビットおよび障害切り分け等を行うための制御用ビット（ｍビットと呼ばれる）が多重化された１ビットのフレームビットｆが付加されて１フレームが構成され、１フレーム当り１２５μｓ、即ち、１．５４４Ｍｂｐｓのデータレートで伝送している。
【０００８】
これに対し、高速ディジタル専用線は、図１５の（ｂ）に示すように８ビット単位の２４個のタイムスロットＴＳ１〜ＴＳ２４で１フレームが構成され、１フレーム当り１２５μｓ、即ち、１．５３６Ｍｂｐｓのデータレートで伝送している。
【０００９】
したがって、ＩＳＤＮ一次群速度のデータを専用線側に単純に中継しようしても、１フレーム当りデータ１ビット分が伝送できない。
【００１０】
このために、ＩＳＤＮ一次群速度のフレームからフレームビットｆを除いて１９２ビットのデータのみを専用線側に伝送する方法や、各専用線の１つのタイムスロットをフレームビット伝送用の専用スロットとして用いる方法等が考えられる。
【００１１】
【発明が解決しようとする課題】
しかしながら、ＩＳＤＮ一次群速度のフレームからフレームビットｆを除いて１９２ビットのデータのみを伝送する方法では、フレームビット中に多重化されている制御用ビットを使用することができず、例えば、障害等が発生した場合にループバック試験制御信号が伝送されないため切り分けができなかったり、符号誤り監視が行なえない。
【００１２】
また、各専用線の１つのタイムスロットをフレームビット伝送用の専用スロットとして使用してしまうと、各加入者線についてデータを１チャネル分伝送できず、ＩＳＤＮ一次群速度の機能が制限され、端末としてＰＢＸを用いる場合等に不便である。
【００１３】
本発明は、このような問題を解決した回線接続方法および回線接続装置を提供することを目的としている。なお、本発明は、ＩＳＤＮの〔２３Ｂ＋Ｄ〕の加入者線の制御チャネルＤの情報転送量は比較的少なく、６４ｋｂｓのデータレートでは定常的に十分な余裕があることに着目して、上記の問題を解決したものである。
【００１４】
【課題を解決するための手段】
前記目的を達成するために、本発明の請求項１の回線接続方法は、
ＩＳＤＮの１本の〔２３Ｂ＋Ｄ〕加入者線（２1 ）と〔２４Ｂ〕の加入者線（２2 〜２9 ）とで一組をなす複数本の加入者線と該加入者線の本数に対応した複数本の高速ディジタル専用線（１１1 〜１１9 ）との間をそれぞれ接続するための回線接続方法において、
前記〔２３Ｂ＋Ｄ〕の加入者線から入力される信号に含まれる所定速度のＤチャネルデータおよび前記各加入者線から入力される信号に含まれるフレームビットを抽出する段階と、
前記抽出したＤチャネルデータを蓄積する段階と、
前記蓄積したＤチャネルデータを前記所定速度の７／８の速度で読み出すとともに、前記抽出した各加入者線のフレームビットに基づいて少なくとも前記各加入者線のｍビット情報を含むように多重化した多重化フレームビットを前記所定速度の１／８の速度で生成する段階と、
前記読み出したＤチャネルデータと前記生成した多重化フレームビットとを多重化する段階と、
前記多重化した前記所定速度の多重化データを前記〔２３Ｂ＋Ｄ〕の加入者線に対応する高速ディジタル専用線の特定のタイムスロットに挿入する段階と、
前記〔２３Ｂ＋Ｄ〕の加入者線に対応する高速ディジタル専用線から入力される信号の前記特定のタイムスロットに前記所定速度で挿入されている多重化データを抽出する段階と、
前記抽出した多重化データを７ビットのＤチャネルデータと１ビットのフレームビットに分離する段階と、
前記分離したＤチャネルデータを蓄積する段階と、
前記分離したフレームビットを前記各加入者線毎に振り分ける段階と、
前記蓄積したＤチャネルデータを前記所定速度で読み出す段階と、
前記振り分けられたフレームビットから前記各加入者線に出力するためのフレームビットを前記所定速度の１／８の速度でそれぞれ生成する段階と、
前記所定速度で読み出されたＤチャネルデータを前記〔２３Ｂ＋Ｄ〕の加入者線へ出力するとともに、前記所定速度の１／８の速度で生成されたフレームビットを各加入者線へ出力する段階とを含むことを特徴としている。
【００１５】
また、本発明の請求項２の回線接続装置は、
ＩＳＤＮの１本の〔２３Ｂ＋Ｄ〕の加入者線（２1 ）と〔２４Ｂ〕の加入者線（２2 〜２9 ）とで一組をなす複数本の加入者線と該加入者線の本数に対応した複数本の高速ディジタル専用線（１１1 〜１１9 ）との間をそれぞれ接続するための回線接続装置において、
前記〔２３Ｂ＋Ｄ〕の加入者線から入力される信号を受け、該信号から所定速度のＤチャネルデータを抽出するＤチャネルデータ抽出手段（２２）と、
前記各加入者線から入力される信号をそれぞれ受け、該信号からフレームビットをそれぞれ抽出する複数のフレームビット抽出手段（２２、２５）と、
第１のバッファ（３２）と、
前記Ｄチャネルデータ抽出手段によって抽出されたＤチャネルデータを前記第１のバッファに蓄積する第１のデータ書込手段（３１）と、
前記第１のバッファに蓄積されたＤチャネルデータを前記所定速度の７／８の速度で読み出す第１のデータ読出手段（３３）と、
前記複数のフレームビット抽出手段によって抽出された前記各加入者線のフレームビットに基づいて少なくとも前記各加入者線のｍビット情報を含むように多重化された多重化フレームビットを前記所定速度の１／８の速度で生成するフレームビット多重生成手段（３５）と、
前記第１のデータ読出手段から出力されるデータと前記フレームビット多重生成手段によって生成される多重化フレームビットとを前記所定速度のデータに多重化する多重化手段（３６）と、
前記多重化手段によって多重化された多重化データを、前記〔２３Ｂ＋Ｄ〕の加入者線に対応する高速ディジタル専用線の特定のタイムスロットに挿入して該高速ディジタル専用線へ送出する多重化データ送出手段（２３）と、
前記〔２３Ｂ＋Ｄ〕の加入者線に対応する高速ディジタル専用線からの信号を受け、該信号から前記特定のタイムスロットに前記所定速度で挿入されている多重化データを抽出する多重化データ抽出手段（２３）と、
前記多重化データ抽出手段によって抽出された多重化データを、７ビットのＤチャネルデータと１ビットのフレームビットに分離する分離手段（３８）と、
第２のバッファ（４０）と、
前記分離手段によって分離された前記所定速度の７／８の速度のＤチャネルデータを前記第２のバッファに蓄積する第２のデータ書込手段（３９）と、
前記第２のバッファに蓄積されたＤチャネルデータを前記所定速度で読み出す第２のデータ読出手段（４１）と、
前記第２のデータ読出手段から出力されるＤチャネルデータを前記〔２３Ｂ＋Ｄ〕の加入者線へ送出するＤチャネルデータ送出手段（２２）と、
前記分離手段によって分離されたフレームビットを前記各加入者線毎に振り分けるフレームビット振り分け手段（４３）と、
前記フレームビット振り分け手段によって振り分けられたフレームビットをそれぞれ受けて、前記各加入者線に出力するためのフレームビットを前記所定速度の１／８の速度でそれぞれ生成する複数のフレームビット生成手段（２８、４４）と、
前記複数のフレームビット生成手段によってそれぞれ生成されたフレームビットを、前記各加入者線へそれぞれ送出する複数のフレームビット送出手段（２２、２５）とを備えている。
【００１６】
【発明の実施の形態】
以下、図面に基づいて本発明の一実施形態を説明する。図１は、本発明の回線接続装置を２つ用いて、ＩＳＤＮの１本の〔２３Ｂ＋Ｄ〕の加入者線と８本の〔２４Ｂ〕の加入者線とで一組をなす複数本の加入者線を高速ディジタル専用回線によって延長したシステムの全体図を示したものである。
【００１７】
図１において、２つの回線接続装置２０、２０は同一のものであり、一方の回線接続装置２０は、ＩＳＤＮの交換機１に接続されている９本の加入者線２1 〜２9 と専用回線網の９本の専用線１１1 〜１１9 の間を接続し、他方の回線接続装置２０は、ＩＳＤＮのＤＳＵ３1 〜３9 にそれぞれ接続された加入者線２1 ′〜２9 ′と前記各専用線１１1 〜１１9 にそれぞれ対応した専用線１１1 ′〜１１9 ′との間を接続する。
【００１８】
このシステムでは、２つの回線接続装置２０によって交換機１側からの信号を専用回線網を介して各ＤＳＵ３1 〜３9 に伝達し、ＤＳＵ側からの信号を専用回線網を介して交換機１へ伝達している。なお、ＤＳＵ３1 〜３9 はＰＢＸ４に接続されている。
【００１９】
ここで、加入者線２1 〜２9 、２1 ′〜２9 ′のうち、加入者線２1 、２1 ′は〔２３Ｂ＋Ｄ〕の加入者線であり、加入者線２2 〜２9 、２2 ′〜２9 ′は〔２４Ｂ〕の加入者線とする。
【００２０】
次に回線接続装置２０について説明するが、前記したように２つの回線接続装置は同一なので、主に交換機側の回線接続装置について説明する。
【００２１】
回線接続装置２０は、図２に示しているように、９本の加入者線２1 〜２9 をそれぞれ専用線１１1 〜１１9 に接続するために、９組の回線接続部２１1 〜２１9 を備えている。
【００２２】
回線接続部２１1 は、〔２３Ｂ＋Ｄ〕の加入者線２1 と専用線１１1 との間を接続するために、加入者線インタフェース２２、専用線インタフェース２３および多重分離処理部３０によって構成されている。
【００２３】
加入者線インタフェース２２は、交換機１から加入者線２1 を介して入力される光信号を電気信号に変換し、この信号から１ビットのフレームビットｆu1と、８ビットの２３個のＢチャネルデータＢ１〜Ｂ２３と、８ビットのＤチャネルデータＤａとを抽出して多重分離処理部３０に出力する。また、多重分離処理部３０から出力される２３Ｂ＋Ｄに多重化されたデータとフレームビットｆd1によって１フレームの信号を構成し光信号に変換して加入者線２1 へ出力する。
【００２４】
専用線インタフェース２３は、専用線１１1 を介して入力される各タイムスロットＴＳ１〜ＴＳ２４の８ビットデータを抽出し、抽出した各タイムスロットＴＳ１〜ＴＳ２３のデータをＢチャネルデータ、タイムスロットＴＳ２４のデータをＤチャネルデータとフレームビットが多重化されたデータとして分けて多重分離処理部３０に出力する。また、多重分離処理部３０によって多重化されたデータをタイムスロットＴＳ１〜ＴＳ２４に挿入して１フレームの信号を構成して専用線１１1 側に出力する。
【００２５】
多重分離処理部３０は、その詳細については後述するが、加入者線インタフェース２２で抽出されたＤチャネルデータＤａを７ビット単位にし、この７ビット化されたＤチャネルデータに各加入者線２1 〜２9 から入力されたフレームビットｆu1〜ｆu9の１ビットを合わせて８ビットにし、ＢチャネルデータＢ１〜Ｂ２３と多重化して専用線インタフェース２３へ出力する。
【００２６】
また、多重分離処理部３０は、専用線インタフェース２３によって分離されたタイムスロットＴＳ２４のデータを７ビットのＤチャネルデータと１ビットのフレームビットに分離し、このＤチャネルデータを８ビット単位にして、タイムスロットＴＳ１〜ＴＳ２３までの各データとで２３Ｂ＋Ｄに多重化して加入者線インタフェース２２へ出力し、分離したフレームビットを各加入者線２1 〜２9 に振り分けるととともにこの加入者線２1 に対応するフレームビットを生成して加入者線インタフェース２２へ出力する。
【００２７】
一方、他の回線接続部２１2 〜２１9 は、〔２４Ｂ〕の８本の加入者線２2 〜２9 と８本の専用線１１2 〜１１9 との間をそれぞれ接続するために、加入者線インタフェース２５、専用線インタフェース２６、フレームビットバッファ２７およびフレームビット生成手段２８によって構成されている。
【００２８】
各加入者線インタフェース２５は、交換機１から加入者線２2 〜２9 を介してそれぞれ入力される光信号を電気信号に変換し、１ビットのフレームビットｆu2〜ｆu9と、２４個のＢチャネルデータＢ１〜Ｂ２４を抽出し、抽出したフレームビットを、それぞれのフレームビットバッファ２７に記憶し、抽出したＢチャネルデータＢ１〜Ｂ２４を、それぞれの専用線インタフェース２６へ出力する。また、専用線インタフェース２６からのＢチャネルデータＢ１〜Ｂ２４とフレームビット生成手段２８から出力されるフレームビットｆd2〜ｆd9によってそれぞれ１フレームの信号を構成して光信号に変換して各加入者線２2 〜２9 に出力する。
【００２９】
各専用線インタフェース２６は、加入者線インタフェース２５からのＢチャネルデータＢ１〜Ｂ２４をタイムスロットＴＳ１〜２４にそれぞれ挿入して１フレームを構成し専用線１１2 〜１１9 へそれぞれ出力し、それぞれの専用線１１2 〜１１9 を介して入力されたタイムスロットＴＳ１〜ＴＳ２４の各８ビットデータを抽出しこれをＢチャネルデータＢ１〜Ｂ２４として加入者インタフェース２５へ出力する。
【００３０】
各フレームビットバッファ２７は、それぞれ記憶したフレームビットｆu2〜ｆu9を、回線接続部２１1 の多重分離処理部３０に出力する。
【００３１】
各フレームビット生成手段２８は、専用線インタフェース２６が抽出したＢチャネルデータＢ１〜Ｂ２４と、回線接続部２１1 の多重分離処理部３０からのフレームビットｆc2〜ｆc9に基づいて、各加入者線２2 〜２9 へ出力するデータに付加するフレームビットｆd2〜ｆd9をそれぞれ生成してそれぞれの加入者線インタフェース２５へ出力する。
【００３２】
次に、回線接続部２１1 の多重分離処理部３０の詳細を図３に基づいて説明する。
【００３３】
図３に示しているように、加入者線インタフェース２２から出力されたＤチャネルデータＤａは、第１のデータ書込手段３１に入力される。第１のデータ書込手段３１は、このＤチャネルデータＤａからアイドルフラグＦｉを除去し、伝送すべきデータＤｂだけを第１のバッファ３２に書き込む。
【００３４】
なお、このアイドルフラグＦｉは、送信すべきデータがないアイドル状態の場合に、ＩＳＤＮのインタフェースがＤチャネル上に連続的に送信する８ビットの特定のフラグである。
【００３５】
第１のバッファ３２に記憶されたデータＤｂは、第１のデータ読出手段３３によって５６ｋｂｐｓの速度で順次読み出され、後述する第１の多重化手段３６へ出力される。第１のデータ読出手段３３は、第１のバッファ３２内に読み出すデータがない間、そのデータの代わりにアイドルフラグＦｉを５６ｋｂｐｓの速度で第１の多重化手段３６へ出力する。
【００３６】
フレームビットバッファ３４は、加入者線インタフェース２２から１ビットずつ出力されるフレームビットｆu1を順次記憶する。
【００３７】
フレームビット多重生成手段３５は、フレームビットバッファ３４に記憶されたフレームビットｆu1および他の回線接続部２１2 〜２１9 のフレームビットバッファ２７に記憶されたフレームビットｆu2〜ｆu9に基づいて、６ビットからなるマルチフレーム同期パターン（Ｆ１〜Ｆ６）および誤りチェックのための６ビットのＣＭＢチェックビットのほかに、全ての加入者線２1 〜２9 についての保守、監視及び試験制御用に１２ビットずつ割当てられているｍビットと呼ばれる情報を多重化した多重化フレームビットｆａを生成して第１の多重化手段３６へ８ｋｂｐｓの速度で出力する。
【００３８】
ここで、フレームビット多重生成手段３５の動作を理解するために、ＩＳＤＮ回線のフレームビットの詳細について説明する。
【００３９】
ＩＳＤＮのＤＳＵ側から交換機側に出力されるフレームデータの先頭に付加される１ビットのフレームビットには、図３の（ａ）〜（ｃ）に示すように、６ビットのマルチフレーム同期パターンＦ１〜Ｆ６、６ビットのＣＭＢチェックビットｅ１〜ｅ６、保守・監視用および試験制御用の１２ビットのｍビット情報Ｍ１〜Ｍ１２が含まれている。
【００４０】
また、ＩＳＤＮの交換機側からのフレームデータの先頭に付加される１ビットのフレームビットにも、図３の（ａ）、（ｂ）と同様の６ビットのマルチフレーム同期パターンＦ１〜Ｆ６、６ビットのＣＭＢチェックビットｅ１〜ｅ６と、図３の（ｄ）に示す保守・監視用および試験制御用の１２ビットのｍビット情報Ｍ１〜Ｍ１２が含まれており、これらのフレームビットは、ともに図３の（ｅ）に示す順序で１フレームに１ビットずつ付加される。
【００４１】
ここで、マルチフレーム同期パターンＦ１〜Ｆ６、ＣＭＢチェックビットｅ１〜ｅ６およびｍビット情報Ｍ１〜Ｍ１２を合わせると２４ビットであるから、２４フレームで全てのフレームビットが送信されることになる。なお、この２４ビットに含まれているマルチフレーム同期パターンＦ１〜Ｆ６は、２４フレームの先頭がどのフレームかを検出するためのものである。また、図３の（ｃ）、（ｄ）のｍビット情報のうちの「０」は未使用ビットである。
【００４２】
また、９本一組の加入者線２1 〜２9 上のいずれの方向のデータも、２４フレーム単位で同期しており、マルチフレーム同期パターンＦ１〜Ｆ６は各加入者線について共通である。
【００４３】
また、ＣＭＢチェックビットｅ１〜ｅ６は、データを中継出力する際に各回線毎に常に新規に生成されるものである。
【００４４】
したがって、２４フレームを１マルチフレームとすると、９本の加入者線２1 〜２9 のｍビット情報をすべて専用線側に出力するためには、９マルチフレームあればよいことがわかる。
【００４５】
フレームビット多重生成手段３５は、予め決められた順に各加入者線のｍビット情報を多重化するとともに、そのｍビット情報がどの加入者線に対応するものであるかを識別できるように、例えば加入者線２1 のフレームビットを生成出力する際に、そのｍビット情報の所定の未使用ビット（例えばＭ１）に、このマルチフレームが９マルチフレームの先頭であることを示す「１」のデータを挿入し、以後に続く８マルチフレームについてはその所定位置のデータを「０」のままにする。
【００４６】
第１の多重化手段３６は、第１のデータ読出手段３３から出力される５６ｋｂｐｓのデータＤｃおよびフレームビット多重生成３５から８ｋｂｐｓで出力されるフレームビットｆａとを多重化して６４ｋｂｐｓのデータにし、この多重化した多重化データＤｄを第２の多重化手段３７に入力する。
【００４７】
第２の多重化手段３７は、第１の多重化手段３６から出力される多重化データＤｄと加入者線インタフェース２２から出力されたＢチャネルデータＢ１〜Ｂ２３と多重化し、専用線インタフェース２３へ出力する。
【００４８】
一方、分離手段３８は、専用線インタフェース２３から出力される多重化データＤｅから７ビットのＤチャネルデータＤｆと１ビットのフレームビットｆｂとを分離する。ＤチャネルデータＤｆの速度は５６ｋｂｐｓ、フレームビットｆｂの速度は８ｋｂｐｓである。
【００４９】
分離手段３８から出力されたＤチャネルデータＤｆは、第２のデータ書込手段３９に入力される。第２のデータ書込手段３９は、分離手段３８から出力されたＤチャネルデータＤｆからアイドルフラグＦｉを除去して、伝達すべきデータのみを第２のバッファ４０に書き込む。
【００５０】
第２のバッファ４０に記憶されたデータＤｇは、第２のデータ読出手段４１によって６４ｋｂｐｓの速度で８ビットずつ順次読み出され第３の多重化手段４２へ入力され、専用線インタフェース２３からのＢチャネルデータＢ１〜Ｂ２３と多重化されて加入者線インタフェース２２へ出力される。ここで、第２のデータ読出手段４１は、第２のバッファ４０内に読み出すデータがない間、そのデータの代わりに８ビットのアイドルフラグＦｉを６４ｋｂｐｓの速度で第３の多重化手段４２へ出力する。
【００５１】
フレームビット振分け手段４３は、分離手段３８で分離されたフレームビットｆｂを受けて、９マルチフレームの先頭のマルチフレームを検知し、前記フレームビット多重生成手段３５による多重化の順序にしたがって加入者線２1 〜２9 毎のフレームビットｆc1〜ｆc9に振り分けて、各回線接続部２1 〜２9 のフレームビット生成手段４４、２８に出力する。
【００５２】
フレームビット生成手段４４は、フレームビット振分け手段４３から出力されたフレームビットｆc1に基づいて加入者線２1 へ出力するためのフレームビットｆd1を生成し、これを８ｋｂｐｓの速度で加入者線インタフェース２２へ出力する。
【００５３】
また、フレームビット生成手段４４は、誤りチェックのためのビットについては、第３の多重化手段４２の出力に対する所定演算を行なって新たに生成して加入者線インタフェース２２へ出力する。
【００５４】
次に、この回線接続装置２０の動作を説明するが、Ｂチャネルデータについては、各回線接続部２１1 〜２１9 において、それぞれの加入者線インタフェース２２、２５と専用線インタフェース２３、２６によって分離され、また、回線接続部２１1 においては第２、第３の多重化手段３７、４２による多重化処理が行なわれるだけで特別な処理はおこなわれずに双方向に伝送されるので、以下の説明では、加入者線２1 のＤチャネルデータおよび各加入者線２1 〜２9 のフレームビットについて説明する。
【００５５】
始めに加入者線側から専用線側にデータを伝送する場合について説明する。
〔２３Ｂ＋Ｄ〕の加入者線２1 から回線接続部２１1 に対して、例えば図５の（ａ）に示すように、複数のアイドルフラグＦｉを含むＤチャネルデータＤａ１、Ｄａ２、…が入力される。ここで、ｄij は、各Ｄチャネルデータのビットデータである。
【００５６】
また、各加入者線２1 からはＤチャネルデータとともに図５の（ｂ）のように、フレームビットｆu1１、ｆu1２、…、が順次入力されフレームビットバッファ３４に記憶される。
【００５７】
また、〔２４Ｂ〕の加入者線２2 〜２9 からも図５の（ｃ）のように、それぞれフレームビットｆu2１、ｆu2２、…、ｆu3１、ｆu3２、…、ｆu9１、ｆu9２、…が入力され、各回線接続部２１2 〜２１9 のフレームビットバッファ２７にそれぞれ記憶される。
【００５８】
回線接続部２１1 に入力されたＤチャネルデータＤａ１、Ｄａ２、…は、第１のデータ書込手段３１によってアイドルフラグＦｉが除去されたデータＤｂ１、Ｄｂ２、…として図６に示すように第１のバッファ３２に書き込まれる。
【００５９】
第１のバッファ３２に書き込まれたデータは、第１のデータ読出手段３３によって６４ｋｂｐｓの７／８の５６ｋｂｐｓの速度で順次読み出されるが、読出中にデータが無くなるとアイドルフラグＦｉが挿入されるため、第１の多重化手段３６に対して図７の（ａ）に示すデータＤｃ１、Ｄｃ２、…が５６ｋｂｐｓの速度で出力される。ここで、データＤｃ１、Ｄｃ２、…は、読出速度が６４ｋｂｐｓの７／８の５６ｋｂｐｓであるから７ビット単位のデータとなる。
【００６０】
一方、フレームビット多重生成３５は、図７の（ｂ）に示すように、第１のデータ読出手段３３によるデータＤｃ１、Ｄｃ２、…の読み出しと並行して、各回線接続部２1 〜２9 のフレームビットバッファ３４、２７に記憶されたフレームビットに基づいて多重化した多重化フレームビットｆａ１、ｆａ２、…を８ｋｂｐｓの速度で出力する。
【００６１】
ここで、例えば図８に示すように、フレームビット多重生成３５が第１マルチフレームで出力する２４ビットの多重化フレームビットｆａ１〜ｆａ２４は、加入者線２1 から入力されたマルチフレーム同期パターンＦ１〜Ｆ６およびその前のマルチフレームで専用線１１1 側に送信したデータに対して所定の演算を行って得られたＣＭＢチェックビットｅ１〜ｅ６で１２ビットが構成され、加入者線２1 から入力されたｍビット情報Ｍ１1 〜Ｍ１２1 で１２ビットが構成されている。なお、この第１マルチフレームのｍビット情報のうち通常は使用されていないＭ１1 にはこのマルチフレームが９個のマルチフレームの先頭であることを示す「１」が挿入される。
【００６２】
また、フレームビット多重生成３５が第２マルチフレームから第９マルチフレームで出力する２４ビットの各多重化フレームビットｆａ２５〜ｆａ４８、ｆａ４９〜ｆａ７２、…、ｆａ１９３〜ｆａ２１６は、前記同様に加入者線２1 のマルチフレーム同期パターンＦ１〜Ｆ６と前マルチフレームで専用線１１1 に出力したデータについてのＣＭＢチェックビットｅ１〜ｅ６で１２ビットが構成され、各加入者線２2 〜２9 のｍビット情報Ｍ１2 〜Ｍ１２2 、Ｍ１3 〜Ｍ１２3 、…、Ｍ１9 〜Ｍ１２9 で１２ビットが構成される。なお、第２マルチフレームから第９マルチフレームのｍビット情報のＭ１2 〜Ｍ１9 は、これらのマルチフレームが９個のマルチフレームの先頭でないことを示すために「０」のままとする。
【００６３】
第１の多重化手段３６は、図９に示すように、フレームビット多重生成３５から出力される多重化フレームビットｆａ１、ｆａ２、…にそれぞれデータＤｃ１、Ｄｃ２、…を付加して６４ｋｂｐｓに多重化した８ビット単位の多重化データＤｄ１、Ｄｄ２、…を第２の多重化手段３７へ入力してＢチャネルデータと多重化して専用線インタフェース２３へ出力する。
【００６４】
第２の多重化手段３７によって多重化されたデータは専用線インタフェース２２によって専用線１１1 のタイムスロットＴＳ１〜ＴＳ２４に挿入されて専用線１１1 に出力される。ここで、例えば、ＢチャネルデータＢ１〜Ｂ２３はタイムスロットＴＳ１〜ＴＳ２３に挿入され、多重化データＤｄはタイムスロットタイムスロットＴＳ２４に挿入されて専用線１１1 に出力される。
【００６５】
第２の多重化手段３７によって多重化されるＢチャネルデータＢ１〜Ｂ２３および多重化データＤｄの伝送速度はそれぞれ６４ｋｂｐｓであるから、専用線１１1 に対するデータの伝送速度は、１．５３６Ｍｂｐｓ（＝６４ｋ×２４）となり、専用線の１．５Ｍ論理パスのデータレートと一致する。
【００６６】
一方、他の回線接続部２１2 〜２１9 では、加入者線２2 〜２9 〜入力されたデータからそれぞれフレームビットｆu2〜ｆu9が除かれて２４のＢチャネルデータのみが専用線インタフェース２６に出力され、このＢチャネルデータＢ１〜Ｂ２４が、２４のタイムスロットＴＳ１〜ＴＳ２４にそれぞれ挿入されて専用線１１2 〜１１9 へ出力される。したがって、この回線接続装置２０の専用線１１2 〜１１9 に対するデータの伝送速度も専用線の１．５Ｍ論理パスのデータレートと一致する。
【００６７】
次に、専用線側から加入者線側にデータを伝送する場合について説明する。
一方の回線接続装置から専用線１１1 を介して図１０に示す多重化データＤｅ１、Ｄｅ２、…が入力された場合、分離手段３８によって図１１の（ａ）に示す７ビットのデータＤｆ１、Ｄｆ２、…と図１１の（ｂ）示す１ビットのフレームビットｆｂ１、ｆｂ２、…に分離される。
【００６８】
そして、データＤｆ１、Ｄｆ２、…からアイドルフラグが除去されたデータＤｇ１、Ｄｇ２、…が第２のデータ書込手段３９によって図１２のように第２のバッファ４０に書き込まれる。
【００６９】
第２のバッファ４０に書き込まれたデータＤｇ１、Ｄｇ２、…は、第２のデータ読出手段４１によって６４ｋｂｐｓの速度で順次読み出され、読み出すデータがなくなるとアイドルフラグＦｉが挿入されるので、第３の多重化手段４２には、図１３に示すように、８ビット単位のＤチャネルデータＤｈ１、Ｄｈ２、…が出力され、このＤチャネルデータＤｈと専用線インタフェース２３からのＢチャネルデータとが多重化されたデータが加入者線インタフェース２１へ出力される。
【００７０】
また、分離手段３８からのフレームビットｆｂ１、ｆｂ２、…を受けたフレームビット振り分け手段４３は、ｍビット情報のＭ１のデータが「１」のマルチフレームを第１マルチフレームとして検知する。
【００７１】
ここで、フレームビットｆｂ１が第１マルチフレームの先頭のフレームビットとすると、フレームビット振り分け手段４３は、図１４に示すように、第１マルチフレーム中のフレームビットｆｂ１〜ｆｂ２４を加入者線２1 に対応したフレームビットｆc1としてフレームビット生成手段４４へ出力し、第２マルチフレーム中のフレームビットｆｂ２５〜ｆｂ４８のうち少なくともｍビット情報を含むフレームビットを加入者線２2 に対応したフレームビットｆc2として、回線接続部２１2 のフレームビット生成手段２８へ出力する。
【００７２】
以下同様に、第３マルチフレームから第９マルチフレーム中の少なくともｍビット情報を含むフレームビットを各加入者線２3 〜２9 にそれぞれ対応したフレームビットｆc3〜ｆc9として、各回線接続部２１3 〜２１9 のフレームビット生成手段２８へ振り分ける。
【００７３】
フレームビット生成手段４４は、フレームビット振り分け手段４３からのフレームビットｆc1を受けて、加入者線２1 へ出力するためのマルチフレーム同期パターンＦ１〜Ｆ６、ＣＭＢチェックビットｅ１〜ｅ６およびｍビット情報Ｍ１〜Ｍ１２からなるフレームビットｆd1を生成して、前記図４の（ｅ）に示した順に１ビットずつ８ｋｂｐｓの速度で加入者線インタフェース２２へ出力する。なお、ここで、フレームビット生成手段４４は、フレームビットｆc1中のｍビット情報のうちＭ１のデータを「０」に戻して出力する。
【００７４】
加入者線インタフェース２２は、第３の多重化手段４２で多重化されたデータにフレームビットｆd1を付加して１フレームにして加入者線２1 へ出力する。
【００７５】
同様に、各回線接続部２１2 〜２１9 のフレームビット生成手段２８は、フレームビット振り分け手段４３からのフレームビットｆc2〜ｆc9をそれぞれ受けて、各加入者線２2 〜２9 へ出力するためのマルチフレーム同期パターンＦ１〜Ｆ６、ＣＭＢチェックビットｅ１〜ｅ６およびｍビット情報Ｍ１〜Ｍ１２からなるフレームビットｆd2〜ｆd9をそれぞれ生成して、前記図４の（ｅ）に示した順に１ビットずつ８ｋｂｐｓの速度でそれぞれ加入者線インタフェース２５へ出力する。
【００７６】
このため、各加入者線２1 〜２9 に対するデータの伝送速度は１．５４４Ｍｂｐｓ（＝６４ｋ×２４＋８ｋ）となり、加入者線のデータレートと一致する。
【００７７】
なお、ＩＳＤＮ一次群速度側のデータレートは、専用線側のデータレートより僅かに速いので、ＩＳＤＮ一次群速度側から専用線側へデータを伝送する場合にはアイドルフラグＦｉの数が減り、逆に、専用線側からＩＳＤＮ一次群速度側にデータを伝送する場合にはアイドルフラグＦｉの数が増加することになる。このように、アイドルフラグの除去と挿入によって、多重化に伴う伝送速度の差を吸収しているので、Ｄチャネルデータとフレームビットの多重化および分離を円滑に行なうことができる。
【００７８】
この実施形態のように、９本の加入者線のフレームビットを〔２３＋Ｄ〕の加入者線で９マルチフレーム用いて伝送する場合、各加入者線のｍビット情報は、９マルチフレーム分遅延することになるが、ｍビット情報に対する交換機やＤＳＵの待ち時間はこの遅延時間に比べて格段に長いため支障はない。
【００７９】
また、前記説明は交換機側の回線接続装置について説明したが、ＤＳＵ側の回線接続装置の動作もその接続対象が加入者線２1 ′〜２9 ′と専用線１１1 ′〜１１9 ′に代わるだけで全く同一である。
【００８０】
このように、実施形態の回線接続装置２０は、ＩＳＤＮの１本の〔２３Ｂ＋Ｄ〕の加入者線と〔２４Ｂ〕の加入者線とで一組をなす複数本の加入者線の各フレームビットと〔２３Ｂ＋Ｄ〕の加入者線のＤチャネルデータとを多重化して〔２３Ｂ＋Ｄ〕の加入者線に対応した専用線に伝送し、また、その専用線側から入力される信号の特定タイムスロットに挿入されている多重化データからＤチャネルデータと各加入者線のフレームビットを分離してそれぞれの加入者線に伝送するようにしている。
【００８１】
このため、各加入者線のＢチャネルを犠牲するすることなくフレームビットを伝送することができ、前記図１に示したシステムに用いて、複数本一組のＩＳＤＮの加入者線を専用線によって延長する場合に、障害時に専用線区間の切り分けや、ＩＳＤＮ一次群速度回線区間の切り分け試験が通常の加入者線と同様に行なえる。また、回線の誤り監視が専用線区間だけでなく、ＩＳＤＮ一次群速度回線区間でも行なえる。
【００８２】
なお、本発明では、Ｄチャネルの情報転送量がフレームビットによって本来の情報転送量より１ビット分減少するが、前記したように、ＩＳＤＮのＤチャネルの情報転送量は少なく、６４ｋｂｓのデータレートでは定常的に十分な余裕があり、５６ｋｂｐｓでも全く支障がない。
【００８３】
また、本発明のようにＤチャネルにフレームビットを多重化して専用線へ出力する場合、高速ディジタル回線用のＤＳＵ（図示せず）のＴ点においてＣＲＣ演算結果をフレームの同期引き込み条件に使用していれば問題ないが、ＣＲＣ演算結果をフレームの同期引き込み条件に使用していない場合には、誤同期引き込みが発生する可能性があり、しかも、ＴＴＣ標準ＪＴ−Ｉ１４３１（ＪＴ−Ｇ７０４）には、フレーム同期確立にＣＲＣ演算結果を使用することが義務付けられていない。
【００８４】
ただし、この誤同期引き込みは、一方の回線接続装置で加入者線からのフレームビットの極性を反転してＤチャネルに多重化して専用線へ出力し、この信号を受けた他方の回線接続装置側でフレームビットの極性を元に戻して加入者線に出力するようにすれば発生しない。
【００８５】
したがって、高速ディジタル回線用のＤＳＵのＴ点においてＣＲＣ演算結果をフレームの同期引き込み条件に使用しているか否かに関わらず、前記のように、回線接続装置がフレームビットを反転するように構成しておけばフレームの誤同期引き込みの発生を未然に防止することができる。
【００８６】
また、前記実施形態は、１本の〔２３＋Ｄ〕の加入者線と８本の〔２４Ｂ〕の加入者線とで一組をなすいわゆる〔１＋８〕の加入者線と専用線との間を接続していたが、これは本発明を限定するものでなく、〔２４Ｂ〕の加入者線の数はＩＳＤＮのサービスが許す範囲で任意であり、〔１＋１〕、〔１＋２〕、〔１＋４〕等の場合でも同様に適用することができる。
【００８７】
また、前記実施形態では、９本の加入者線のフレームビットを９マルチフレームの間に伝達するようにしていたが、ｍビット情報の未使用ビットを積極的に利用することで、さらに少ないマルチフレーム数で９本の加入者線のフレームビットを伝送することも可能である。
【００８８】
即ち、ｍビット情報のうち実際に使用されるのは最大で６ビットであり、９本分の加入者線のｍビット情報を伝達するためには５４（＝９×６）ビットで済む。
【００８９】
そして、先頭のマルチフレームを検出するための検出ビットを１マルチフレーム当り１ビット使用した場合、ｍビット情報の伝送に使用できるのは１マルチフレーム当り１１ビットとなるから、５マルチフレームあれば９本分の加入者線のｍビット情報を伝送することができる。
【００９０】
これを実現する場合には、回線接続部２１1 のフレームビット多重生成手段３５において、各加入者線２1 〜２9 の１２ビットのｍビット情報を実際に伝達が必要な情報を含めて６ビットに圧縮し、第１マルチフレームから第５マルチフレームに、圧縮した加入者線２1 〜２9 の６ビットのｍビット情報を連続的に挿入すればよい。
【００９１】
この場合、フレームビット振り分け手段４３、フレームビット生成手段４４、２８の処理をフレームビット多重生成手段３５の多重処理に対応させる必要がある。
【００９２】
なお、ＩＳＤＮのＤＳＵ側からのｍビット情報のうちの実際に伝達が必要なビットはＭ２、Ｍ４〜Ｍ７、Ｍ１０の６ビットであるのに対し、ＩＳＤＮの交換機側からのｍビット情報のうちの実際に伝達が必要なビットはＭ２、Ｍ３、Ｍ７、Ｍ１０の４ビットであり、この４ビットのうちＭ２、Ｍ７、Ｍ１０はＤＳＵ側からのｍビット情報のうちの実際に伝達が必要なビットに含まれているが、Ｍ３は含まれていない。
【００９３】
このため、ＩＳＤＮのＤＳＵからの加入者線と専用線との間を接続する場合には、１２ビットのｍビット情報をＭ２、Ｍ４〜Ｍ７、Ｍ１０の６ビットに圧縮して専用線側へ出力し、ＩＳＤＮの交換機からの加入者線と専用線との間を接続する場合には、１２ビットのｍビット情報を、Ｍ２、Ｍ３、Ｍ７、Ｍ１０の４ビットに例えばＭ４、Ｍ５を加えた６ビットに圧縮して専用線側に出力する。
【００９４】
したがって、ＤＳＵ側の回線接続装置と交換機側の回線接続装置とはＭ３のビットの処理の有無による違いで完全な同一処理とはならないが、上記のようにｍビット情報を６ビットに圧縮する方法は、最も少ないマルチフレーム数で〔１＋８〕の加入者線のフレームビットを伝送できるという利点がある。
【００９５】
また、１２ビットのｍビット情報を、Ｍ２、Ｍ３〜Ｍ７、Ｍ１０の７ビットに圧縮することで、ＩＳＤＮのＤＳＵからのｍビット情報に対しても、ＩＳＤＮの交換機からのｍビット情報に対しても同一処理で対応することができ、ＤＳＵ側と交換機側の回線接続装置を全く同一にすることができる。
【００９６】
この場合、９本分の加入者線のｍビット情報を７ビットに圧縮して伝送するには６３（＝９×７）ビットが必要であり、１マルチフレーム当りに１ビットの検出ビットを使用した場合、ｍビット情報の伝送に使用できるのは１マルチフレーム当り１１ビットとなるから、６マルチフレームあれば９本分の加入者線のｍビット情報を伝送することができる。
【００９７】
【発明の効果】
以上説明したように、本発明の回線接続方法および回線接続装置は、ＩＳＤＮの〔２３Ｂ＋Ｄ〕の一本の加入者線と〔２４Ｂ〕の加入者線とで一組をなす複数本の加入者線の各フレームビットと〔２３Ｂ＋Ｄ〕の加入者線のＤチャネルデータとを多重化して〔２３Ｂ＋Ｄ〕の加入者線に対応した専用線に伝送し、また、その専用線側から入力される信号の特定タイムスロットに挿入されている多重化データからＤチャネルデータと各加入者線のフレームビットを分離してそれぞれの加入者線に伝送するようにしている。
【００９８】
このため、各加入者線の情報チャネルを犠牲にすることなくフレームビットを伝送することができ、複数本一組のＩＳＤＮの加入者線を専用線によって延長する場合でも、障害時に専用線区間の切り分けや、ＩＳＤＮ一次群速度回線区間の切り分け試験が通常の加入者線と同様に行なえる。
【００９９】
また、回線の誤り監視が専用線区間だけでなく、ＩＳＤＮ回線区間でも行なえる。
【図面の簡単な説明】
【図１】本発明の回線接続装置を用いて加入者線を延長したシステムの全体図
【図２】本発明の一実施形態の全体構成を示すブロック図
【図３】実施形態の要部の構成を示すブロック図
【図４】ＩＳＤＮのフレームビットを説明するための図
【図５】一実施形態の動作を説明するためのデータ図
【図６】一実施形態の動作を説明するためのデータ図
【図７】一実施形態の動作を説明するためのデータ図
【図８】一実施形態の動作を説明するためのデータ図
【図９】一実施形態の動作を説明するためのデータ図
【図１０】一実施形態の動作を説明するためのデータ図
【図１１】一実施形態の動作を説明するためのデータ図
【図１２】一実施形態の動作を説明するためのデータ図
【図１３】一実施形態の動作を説明するためのデータ図
【図１４】一実施形態の要部の動作を説明するための図
【図１５】加入者線側のフレームと専用線側のフレームとを示す図
【符号の説明】
１  交換機
２1 〜２9 、２1 ′〜２9 ′  加入者線
３1 〜３9 ＤＳＵ
４  ＰＢＸ
１１1 〜１１9 、１１1 ′〜１１9 ′  専用線
２０  回線接続装置
２１1 〜２１9   回線接続部
２２、２５  加入者線インタフェース
２３、２６  専用線インタフェース
２７  フレームビットバッファ
２８  フレームビット生成手段
３０  多重分離処理部
３１  第１のデータ書込手段
３２  第１のバッファ
３３  第１のデータ読出手段
３４  フレームビットバッファ
３５  フレームビット多重生成手段
３６  第１の多重化手段
３７  第２の多重化手段
３８  分離手段
３９  第２のデータ書込手段
４０  第２のバッファ
４１  第２のデータ読出手段
４２  第３の多重化手段
４３  フレームビット振り分け手段
４４  フレームビット生成手段
【図１】
0003546347.tif 000002
【図２】
0003546347.tif 000003
【図３】
0003546347.tif 000004
【図４】
0003546347.tif 000005
【図５】
0003546347.tif 000006
【図６】
0003546347.tif 000007
【図７】
0003546347.tif 000008
【図８】
0003546347.tif 000009
【図９】
0003546347.tif 000010
【図１０】
0003546347.tif 000011
【図１１】
0003546347.tif 000012
【図１２】
0003546347.tif 000013
【図１３】
0003546347.tif 000014
【図１４】
0003546347.tif 000015
【図１５】
0003546347.tif 000016